(57)【要約】【課題】定量ポンプから間欠的に吐出される流体の流量を従来よりも正確に計測することが可能な電磁流量計の提供を目的とする。【解決手段】本発明の電磁流量計１０は、定量ポンプ４０の吐出動作によって液体が計測管２１内を流動している流動期間Ｔ１１中に１対の検知電極２３，２３間に発生した検知電圧Ｖを欠かすことなく信号処理回路３４に取得することができる。しかも、液体が静止した休止期間中に磁束を交番させて、磁束の向きが一の方向でかつ強度が一定な期間の検知電圧Ｖ１と、磁束の向きが他の方向でかつ強度が一定な期間の検知電圧Ｖ２との差分（＝Ｖ１−Ｖ２）を演算することでオフセット電圧Ｖｏをキャンセルし、流動期間Ｔ１１中に取得した検知電圧Ｖ３を補正する。これらにより、定量ポンプ４０から間欠的に吐出される液体の流量を従来の電磁流量計よりも正確に計測することが可能になる。【選択図】図４
2008304288.tif 000002
【特許請求の範囲】
【請求項１】
定量ポンプから間欠的に吐出される流体が流される計測管と、前記計測管内の流体に磁束を付与するための電磁コイルと、前記計測管に固定され、前記流体の流れる方向と交差する方向で対向した１対の検知電極と、前記電磁コイルの励磁を制御しかつ前記１対の検知電極の間に発生した検知電圧を取り込んで、その検知電圧に基づいて前記流体の流量を演算する制御部とを備えた電磁流量計において、
前記計測管内の流体が流れている流動期間に前記磁束が一定方向及び一定強度に保持されるように前記電磁コイルを励磁すると共に、前記計測管内の流体が静止している休止期間中に前記磁束の向きが一の方向と他の方向とに切り替わるように前記電磁コイルを励磁する励磁制御部と、
前記流動期間中に、前記１対の検知電極の間に発生した検知電圧を取得すると共に、前記休止期間中に前記磁束の向きが一の方向になった場合に前記１対の検知電極の間に発生した第１オフセット電圧と、前記磁束の向きが他の方向になった場合に前記１対の検知電極の間に発生した第２オフセット電圧との差分から、前記１対の検知電極の間に発生しているオフセット電圧を検出する電圧検出手段と、
前記電圧検出手段が検出した前記オフセット電圧を前記検知電圧からキャンセルして前記検知電圧を補正するオフセット補正手段とを、前記制御部に備えたことを特徴とする電磁流量計。
【請求項２】
前記励磁制御部は、前記定量ポンプが吐出動作より予め定められた所定時間だけ前に出力するプリトリガ信号を取り込み、前記プリトリガ信号の出力タイミングからの経過時間に基づいて、前記電磁コイルの励磁を制御するように構成されたことを特徴とする請求項１に記載の電磁流量計。
【請求項３】
定量ポンプから間欠的に吐出される流体が流される計測管と、前記計測管内の流体に磁束を付与するための電磁コイルと、前記計測管に固定され、前記流体の流れる方向と交差する方向で対向した１対の検知電極と、前記電磁コイルの励磁を制御する励磁制御部と、前記１対の検知電極の間に発生した検知電圧を取り込んで、その検知電圧に基づいて前記流体の流量を演算する信号処理部とを備えた電磁流量計において、
前記励磁制御部は、前記定量ポンプが吐出動作より予め定められた所定時間だけ前に出力するプリトリガ信号を取り込み、前記プリトリガ信号の出力タイミングを起点にして所定の励磁周期で励磁電流の向きを反転させて前記電磁コイルを励磁し、前記定量ポンプの吐出動作前に前記磁束を複数回交番させた後、前記励磁周期の１周期のうち前記励磁電流の向きの反転により前記磁束の強度が過渡的に変化する過渡応答期間を除いた定常期間に前記定量ポンプの吐出動作の１回分が収まるように前記定量ポンプの動作に同期して動作するように構成され、
前記プリトリガ信号の出力タイミングの後、前記定量ポンプの吐出動作前に前記磁束が交番したときに作動し、前記磁束の向きが一の方向になった場合に前記１対の検知電極の間に発生した第１オフセット電圧と、前記磁束の向きが他の方向になった場合に前記１対の検知電極の間に発生した第２オフセット電圧との差分から、前記１対の検知電極の間に発生しているオフセット電圧を検出するオフセット電圧検出手段と、
前記定量ポンプの吐出動作中に前記１対の検知電極の間に発生した検知電圧を取得する検知電圧取得手段と、
前記検知電圧取得手段が取得した前記検知電圧から前記オフセット電圧をキャンセルして前記検知電圧を補正するオフセット補正手段とを、前記信号処理部に備えたことを特徴とする電磁流量計。
【発明の詳細な説明】
【技術分野】
【０００１】
本発明は、定量ポンプから間欠的に吐出される流体の流量を計測するための電磁流量計に関する。
【背景技術】
【０００２】
一般に、電磁流量計では、１対の検知電極が互いに異なる電気化学的環境に置かれているために、それら検知電極間に電気化学的ノイズと呼ばれるオフセット電圧が発生し、このオフセット電圧が、流体の流速に比例した誘起電圧に重畳する現象が起きるが、流体に一定方向及び一定強度の磁束を付与する直流励磁式の電磁流量計では、流速に比例した誘起電圧とオフセット電圧とを分離することができない。
【０００３】
この問題を解決するものとして、励磁電流の向きを所定周期で反転させて流体に付与する磁束を交番させる方形波励磁式の電磁流量計が知られているが、この電磁流量計では、磁束を交番させているが故に、励磁電流の変化に比例した磁束微分ノイズ（９０度ノイズ）の発生が避けられない。
【０００４】
即ち、磁束が交番する際に、電磁コイルに流れる励磁電流は、瞬時に反転して定常値になるのではなく、電磁コイルが持つインダクタンス等の影響で定常値になるまで過渡的に変化（徐変）する。そのため、励磁電流が徐変している過渡応答期間、即ち、磁束が交番する前後の所定期間は、流速に比例して発生する誘起電圧に磁束微分ノイズが重畳する。従って、方形波励磁式の電磁流量計は、通常、過渡応答期間を含む所定期間（以下、「サンプリング禁止期間」という）は検知電圧のサンプリングを禁止し、それ以外の励磁電流が定常値（磁束が一定方向でかつ一定強度）となった定常期間中の検知電圧だけを取得して演算を行う構成となっている（例えば、非特許文献１参照）。
【非特許文献１】松山  裕著、「実用流量測定」、第１版、財団法人省エネルギーセンター、１９９９年６月１５日、ｐ．４３
【発明の開示】
【発明が解決しようとする課題】
【０００５】
ところで、上述した従来の方形波励磁式の電磁流量計によって、流量がコンスタントな流体を計測した場合には、サンプリング禁止期間中の検知電圧のデータが欠落しても、その前後の定常期間に取得した検知電圧から推定可能なので問題とはならないが、定量ポンプから間欠的に吐出される流体、即ち、流量が脈動的に変化して流れる流体を計測する場合には、以下のような問題が生じ得る。
【０００６】
即ち、図５に示すように、実際に流体が流れている期間Ｔ１（図５（Ｂ）参照）と励磁電流の過渡応答期間を含むサンプリング禁止期間Ｔ２（図５（Ａ）参照）とが重なった場合には、流体が流れているにも関わらず検知電圧を取得できない期間が発生し、図５（Ｃ）に示すように検知電圧のデータが欠落することになる。ところが、通常、定量ポンプから吐出される流体は、短時間で大きく流量が変化するため、サンプリング禁止期間Ｔ２中に、実際の流量が大きく変化した場合には、欠落したデータをその前後の定常期間Ｔ３に取得された電極間電圧から推定することは極めて困難であり、これが誤差の原因となっていた。このように、従来の電磁流量計では、何れの励磁方式であっても定量ポンプから間欠的に吐出される流体の流量を正確に計測することができなかった。
【０００７】
本発明は、上記事情に鑑みてなされたもので、定量ポンプから間欠的に吐出される流体の流量を従来よりも正確に計測することが可能な電磁流量計の提供を目的とする。
【課題を解決するための手段】
【０００８】
上記目的を達成するためになされた請求項１の発明に係る電磁流量計は、定量ポンプから間欠的に吐出される流体が流される計測管と、計測管内の流体に磁束を付与するための電磁コイルと、計測管に固定され、流体の流れる方向と交差する方向で対向した１対の検知電極と、電磁コイルの励磁を制御しかつ１対の検知電極の間に発生した検知電圧を取り込んで、その検知電圧に基づいて流体の流量を演算する制御部とを備えた電磁流量計において、計測管内の流体が流れている流動期間に磁束が一定方向及び一定強度に保持されるように電磁コイルを励磁すると共に、計測管内の流体が静止している休止期間中に磁束の向きが一の方向と他の方向とに切り替わるように電磁コイルを励磁する励磁制御部と、流動期間中に、１対の検知電極の間に発生した検知電圧を取得すると共に、休止期間中に磁束の向きが一の方向になった場合に１対の検知電極の間に発生した第１オフセット電圧と、磁束の向きが他の方向になった場合に１対の検知電極の間に発生した第２オフセット電圧とを取得してその差分から、１対の検知電極の間に発生しているオフセット電圧を検出する電圧検出手段と、電圧検出手段が検出したオフセット電圧を検知電圧からキャンセルして検知電圧を補正するオフセット補正手段とを、制御部に備えたところに特徴を有する。
【０００９】
請求項２の発明は、請求項１に記載の電磁流量計において、励磁制御部は、定量ポンプが吐出動作より予め定められた所定時間だけ前に出力するプリトリガ信号を取り込み、プリトリガ信号の出力タイミングからの経過時間に基づいて、流動期間と休止期間とを判別するように構成されたところに特徴を有する。
【００１０】
請求項３の発明に係る電磁流量計は、定量ポンプから間欠的に吐出される流体が流される計測管と、計測管内の流体に磁束を付与するための電磁コイルと、計測管に固定され、流体の流れる方向と交差する方向で対向した１対の検知電極と、電磁コイルの励磁を制御する励磁制御部と、１対の検知電極の間に発生した検知電圧を取り込んで、その検知電圧に基づいて流体の流量を演算する信号処理部とを備えた電磁流量計において、励磁制御部は、定量ポンプが吐出動作より予め定められた所定時間だけ前に出力するプリトリガ信号を取り込み、プリトリガ信号の出力タイミングを起点にして所定の励磁周期で励磁電流の向きを反転させて電磁コイルを励磁し、定量ポンプの吐出動作前に磁束を複数回交番させた後、励磁周期の１周期のうち励磁電流の向きの反転により磁束の強度が過渡的に変化する過渡応答期間を除いた定常期間に定量ポンプの吐出動作の１回分が収まるように定量ポンプの動作に同期して動作するように構成され、プリトリガ信号の出力タイミングの後、定量ポンプの吐出動作前に磁束が交番したときに作動し、磁束の向きが一の方向になった場合に１対の検知電極の間に発生した第１オフセット電圧と、磁束の向きが他の方向になった場合に１対の検知電極の間に発生した第２オフセット電圧との差分から、１対の検知電極の間に発生しているオフセット電圧を検出するオフセット電圧検出手段と、定量ポンプの吐出動作中に１対の検知電極の間に発生した検知電圧を取得する検知電圧取得手段と、検知電圧取得手段が取得した検知電圧からオフセット電圧をキャンセルして検知電圧を補正するオフセット補正手段とを、信号処理部に備えたところに特徴を有する。
【発明の効果】
【００１１】
［請求項１の発明］
上記のように構成した請求項１に係る発明によれば、計測管内を流体が流れている流動期間中に、磁束が一定方向及び一定強度に保持されるように電磁コイルを励磁するので、磁束微分ノイズが重畳することはなく、定量ポンプの吐出によって流体が計測管内を流動している期間の検知電圧のデータを欠かすことなく取得して流量の演算を行うことができる。
【００１２】
しかも、計測管内の流体が静止している休止期間中に、磁束の向きが一の方向と他の方向に切り替わるように電磁コイルを励磁して、磁束の向きが一の方向になった場合に１対の検知電極間に発生した第１オフセット電圧と、磁束の向きが他の方向になった場合に１対の検知電極間に発生した第２オフセット電圧との差分からオフセット電圧を検出し、流動期間中に発生した発生した検知電圧からオフセット電圧をキャンセルして検知電圧が補正されるから、オフセット電圧の影響を排除して流量を演算することができる。このように、本発明によれば、定量ポンプから間欠的に吐出される流体の流量を従来の電磁流量計よりも正確に計測することが可能である。
【００１３】
［請求項２の発明］
請求項２の発明によれば、定量ポンプが吐出動作より予め定められた所定時間だけ前に出力するプリトリガ信号の出力タイミングからの経過時間によって、流動期間と休止期間を区別することが可能なので、励磁制御部は、プリトリガ信号を取り込んで、流動期間中に磁束を一定方向及び一定強度に保持すると共に、休止期間中に磁束の向きが一の方向と他の方向に切り替わるように電磁コイルの励磁を制御すればよい。
【００１４】
［請求項３の発明］
上記のように構成した請求項３に係る発明によれば、電磁コイルの励磁を制御する励磁制御部は、定量ポンプが吐出動作より予め定められた所定時間だけ前に出力するプリトリガ信号の出力タイミングを起点にして、所定の励磁周期で電磁コイルに流す励磁電流の向きを反転させて磁束を交番させると共に、励磁周期の何れか１周期のうち、励磁電流の反転により磁束の強度が過渡的に変化する過渡応答期間を除いた定常期間に、定量ポンプの吐出動作の１回分が収まるように、定量ポンプの動作に同期して動作するので、定量ポンプの吐出動作中における磁束微分ノイズの影響を排除することができ、定量ポンプの吐出動作中、即ち流体が計測管内を流動している期間の検知電圧のデータを欠かすことなく取得して流量の演算を行うことができる。
【００１５】
また、オフセット電圧検出部は、プリトリガ信号の出力タイミングの後、定量ポンプの吐出動作前、即ち、計測管内の流体が静止している期間中に磁束が交番したときに作動して、磁束の向きが一の方向になった場合に１対の検知電極間に発生した第１オフセット電圧と、磁束の向きが他の方向になった場合に１対の検知電極間に発生した第２オフセット電圧との差分からオフセット電圧を検出し、定量ポンプの吐出動作中に発生した検知電圧からオフセット電圧をキャンセルして検知電圧が補正されるから、オフセット電圧の影響を排除した流量を求めることができる。このように、本発明によれば、定量ポンプから間欠的に吐出される流体の流量を従来の電磁流量計よりも正確に計測することができる。
【発明を実施するための最良の形態】
【００１６】
以下、本発明の一実施形態を図１〜図４に基づいて説明する。
図１に示すように、薬液タンク５０から延びた管路５１の途中には定量ポンプ４０が備えられている。定量ポンプ４０は、例えば、ダイアフラム式の電磁定量ポンプであり、多数のメーカから市販されている公知の構造をなしている。そして、ダイアフラム４４（図２参照）の往復動により、薬液タンク５０に貯留された液体（例えば、医療分野や農業分野で使用される薬液等）が一定量吐出される。
【００１７】
図２に示すように定量ポンプ４０は、ダイアフラム４４の吐出動作の起因となるプリトリガ信号Ｒ１を一定周期で出力するタイミング発生回路４１、プリトリガ信号Ｒ１に基づいてダイアフラム４４を駆動するダイアフラム駆動回路４２及び、タイミング発生回路４１から出力されたプリトリガ信号Ｒ１を、予め設定された所定時間Ｔ１０が経過した後にダイアフラム駆動回路４２に入力させるための遅延回路４３を備えている。つまり、定量ポンプ４０は、一定周期でダイアフラム４４の吐出動作を繰り返して毎回一定量の液体を間欠的に吐出している。なお、プリトリガ信号Ｒ１の発生間隔（液体の吐出間隔）は、例えば、２００ミリ秒（ｍｓ）から６０秒の範囲で任意に設定することができ、本実施形態では、例えば、３００ミリ秒となっている。
【００１８】
この定量ポンプ４０から、間欠的に一定量ずつ吐出された液体の流量を計測するために、図１に示すように管路５１のうち定量ポンプ４０の下流側には、本発明に係る電磁流量計１０が設けられている。電磁流量計１０は、一般の電磁流量計と同様に検出器２０と変換器３０とから構成されている。
【００１９】
図２に示すように検出器２０は、定量ポンプ４０から吐出された液体が流れる計測管２１と、計測管２１の側方から計測管２１内を横切るように磁束を付与する電磁コイル２２と、計測管２１に固定され磁束及び流体の流れの向きと直交する方向に対向配置された１対の検知電極２３，２３とを備えている。
【００２０】
一方、変換器３０は、定量ポンプ４０からのプリトリガ信号Ｒ１を受信するコントロール回路３１と、電磁コイル２２に流す励磁電流Ｉｅを制御する励磁回路３２と、１対の検知電極２３，２３間に発生した検知電圧Ｖを取得して流量を演算する信号処理回路３４と、信号処理回路３４が検知電圧Ｖを取得するタイミングを制御するサンプリング回路３３とを備えている。
【００２１】
そして、電磁コイル２２に励磁電流Ｉｅが流され、計測管２１内の液体に磁束が付与された状態でその磁束に直交して液体が流れると、１対の検知電極２３，２３間に液体の流速に比例した誘起電圧が発生する。後に詳説するが、１対の検知電極２３，２３間に発生する検知電圧Ｖには、この誘起電圧の他に、流速とは無関係なオフセット電圧Ｖｏが含まれている。そこで、信号処理回路３４では、検知電極２３，２３間に発生した検知電圧Ｖからオフセット電圧Ｖｏをキャンセルして検知電圧Ｖを補正する。その補正した検知電圧から流速が演算され、流速に計測管２１の断面積を乗じて求めた単位時間当たりの流量と、その単位時間当たりの流量を所定時間に亘って積算した積算流量とが演算される。
【００２２】
なお、変換器３０は図示しない外部出力端子を備えており、ここに表示器５２（図１参照）や、その他外部機器を接続することで、流量の演算結果を外部に出力することができる。また、定量ポンプ４０に接続することで、流量の演算結果を定量ポンプ４０のフィードバック制御に使用することも可能である。
【００２３】
本実施形態の電磁流量計１０の構成は以上であり、次に、本実施形態の作用及び効果について図３及び図４を参照しつつ説明する。
【００２４】
定量ポンプ４０を起動すると、タイミング発生回路４１がダイアフラム４４の吐出動作よりも予め定められた所定時間Ｔ１０（例えば、本実施形態では１１５ミリ秒）だけ前にプリトリガ信号Ｒ１を出力する（図３（Ａ）参照）。即ち、プリトリガ信号Ｒ１が遅延回路４３を介してダイアフラム駆動回路４２に入力し、プリトリガ信号Ｒ１の出力タイミングから所定時間Ｔ１０だけ遅れてダイアフラム４４が１回だけ吐出動作を行う。この１回の吐出動作により、一定量の液体が吐出され、計測管２１内を所定の流動期間Ｔ１１（例えば、本実施形態では最長で３０ミリ秒）に亘って流動する（図３（Ｂ）参照）。つまり、本実施形態では、プリトリガ信号Ｒ１の出力タイミングからの経過時間で、１１５ミリ秒後に計測管２１内で液体の流動が開始し、１４５ｍｓ後には液体の流動が確実に停止する（図４参照）。
【００２５】
一方、プリトリガ信号Ｒ１は、出力とほぼ同時に電磁流量計１０に備えたコントロール回路３１でも受信される。コントロール回路３１は、プリトリガ信号Ｒ１を受信すると直ちに励磁回路３２、サンプリング回路３３、信号処理回路３４に駆動指令を出力する。
【００２６】
励磁回路３２は、コントロール回路３１からの駆動指令を受けると直ちに、電磁コイル２２に対して励磁電流Ｉｅを供給する。図３（Ｃ）に示すように、励磁電流Ｉｅは、プリトリガ信号Ｒ１の出力タイミングを起点として所定の励磁期間Ｔ１２（例えば、本実施形態では２００ミリ秒）に亘って流される。また、１回の励磁期間Ｔ１２中に、励磁回路３２に備えた切替スイッチ３５（図２参照）が周期的に切り替わって、励磁電流Ｉｅの向き（即ち、磁束の向き）が複数回、反転（交番）する。具体的には、プリトリガ信号Ｒ１の出力タイミングからの経過時間で、５０ミリ秒後、１００ミリ秒後、１５０ミリ秒後の３回に亘って磁束が交番する。そして、励磁回路３２は、励磁期間Ｔ１２のうち、磁束が交番する直前及び直後を除く各期間Ｔ１３（以下、「定常期間Ｔ１３」という）において、磁束を一定方向及び一定強度に保持する。
【００２７】
ここで、磁束が交番する直前及び直後の所定期間Ｔ１４（以下、「過渡応答期間Ｔ１４」という）は、電磁コイル２２が持つインダクタンス等の影響で励磁電流Ｉｅの大きさ、即ち、磁束の強度が過渡的に変化する（図４（Ａ）参照）。そして、図４（Ｃ）に強調して示すように、過渡応答期間Ｔ１４中に検知電極２３，２３間に発生する検知電圧Ｖには、液体の流速に比例した誘起電圧に、励磁電流Ｉｅの大きさ（磁束強度）の変化に比例した磁束微分ノイズが重畳しているので、過渡応答期間Ｔ１４の検知電圧Ｖを取得するのは避けるべきである。
【００２８】
そこで、本実施形態では、サンプリング回路３３が、励磁期間１２のうち、過渡応答期間Ｔ１４における信号処理回路３４の検知電圧Ｖの取得を禁止し、定常期間Ｔ１３における信号処理回路３４の検知電圧Ｖの取得を許容している。
【００２９】
具体的には、サンプリング回路３３は、プリトリガ信号Ｒ１の出力タイミングを起点として所定周期でオンオフするサンプリング信号Ｒ２を発生している（図３（Ｄ）参照）。サンプリング信号Ｒ２は、励磁期間Ｔ１２中に出現する各定常期間Ｔ１３のうち、プリトリガ信号Ｒ１の出力タイミングからの経過時間で、１５〜４５ミリ秒の間（以下、「第１のサンプリング期間Ｓ１」という）、６５〜９５ミリ秒の間（以下、「第２のサンプリング期間Ｓ２」という）、１１５〜１４５ミリ秒の間（以下、「第３のサンプリング期間Ｓ３」という）及び、１６５〜１９５ミリ秒の間（以下、「第４のサンプリング期間Ｓ４」という）にオンになって信号処理回路３４による検知電圧Ｖの取得を許容し、第１〜第４のサンプリング期間Ｓ１〜Ｓ４以外の過渡応答期間Ｔ１４を含む各所定期間で、検知電圧Ｖの取得を禁止している（図４（Ａ）参照）。以下、各サンプリング期間Ｓｎ（ｎ＝１〜４）で取得された検知電圧Ｖを区別する場合には、それぞれ検知電圧Ｖｎ（ｎ＝１〜４）という。
【００３０】
ここで、上述したように、定量ポンプ４０から吐出された液体は、プリトリガ信号Ｒ１の出力タイミングからの経過時間で、１１５ミリ秒後に流動を開始し、最長で３０ミリ秒間に亘って流動した後、１４５ミリ秒後には確実に静止する。つまり電磁流量計１０は、電磁コイル２２に流れる励磁電流Ｉｅの反転により磁束の強度が過渡的に変化する過渡応答期間Ｔ１４を除いた定常期間Ｔ１３（詳細には、第３のサンプリング期間Ｓ３）に、定量ポンプ４０の１回の吐出動作による液体の流動期間Ｔ１１が収まるように、定量ポンプ４０の動作に同期して動作している（図３（Ａ）及び同図（Ｂ）参照）。これにより、磁束微分ノイズの影響を排除することができ、定量ポンプ４０の吐出動作によって計測管２１内を液体が流動している流動期間Ｔ１１中の検知電圧Ｖ３を欠かすことなく信号処理回路３４に取得することができる。
【００３１】
信号処理回路３４が各サンプリング期間Ｓ１〜Ｓ４で取得した検知電圧Ｖ１〜Ｖ４には、液体の流速に応じた誘起電圧の他に、流速とは無関係なオフセット電圧Ｖｏが重畳されている。このオフセット電圧Ｖｏをキャンセルするために、上述の如く、励磁回路３２は定量ポンプ４０が吐出動作をする前の液体が静止した休止期間、即ち、プリトリガ信号Ｒ１の出力タイミングからの経過時間で、所定時間Ｔ１０（１１５ミリ秒）が経過するまでの間に、磁束を２回交番させており（図４（Ａ）参照）、信号処理回路３４はそれら相反する向きの磁束の下で検知電圧Ｖ１，Ｖ２を検出している。また、定量ポンプ４０が吐出動作した後の液体が静止した休止期間、即ち、第４のサンプリング期間Ｓ４でも検知電圧Ｖ４を検出している。そして、以下のようにして、オフセット電圧Ｖｏをキャンセル処理している。
【００３２】
具体的には、信号処理回路３４は、磁束の向きが一の方向でかつ強度が一定な第１のサンプリング期間Ｓ１で取得した検知電圧Ｖ１（本発明の「第１オフセット電圧」に相当する）と、磁束の向きが他の方向で強度が一定に保持された第２のサンプリング期間Ｓ２で取得した検知電圧Ｖ２（本発明の「第２オフセット電圧」に相当する）との差分（＝Ｖ２−Ｖ１）を演算する。また、磁束の向きが一の方向でかつ強度が一定な第３のサンプリング期間Ｓ３で取得した検知電圧Ｖ３と、磁束の向きが他の方向で強度が一定に保持された第４のサンプリング期間Ｓ４で取得した検知電圧Ｖ４との差分（＝Ｖ３−Ｖ４）を演算する。そして、検知電圧Ｖ３と検知電圧Ｖ４との差分から、検知電圧Ｖ１と検知電圧Ｖ２の差分を差し引く（＝（Ｖ３−Ｖ４）−（Ｖ１−Ｖ２））ことで、第３のサンプリング期間Ｓ３で取得した流動期間Ｔ１１における検知電圧Ｖ３からオフセット電圧Ｖｏをキャンセルすることができる。
【００３３】
以上が定量ポンプ４０の１回の吐出動作に伴って電磁流量計１０が行う動作であり、以下、吐出動作が行われる度にこの動作を繰り返す。なお、図３（Ｃ）に示すように、励磁期間Ｔ１２が終了してから次のプリトリガ信号Ｒ１を受信するまでの間は、励磁電流Ｉｅを流さないので、無駄な消費電力を抑えることができる。
【００３４】
ここで本実施形態における、変換器３０は本発明の「制御部」に相当し、信号処理回路３４は本発明の「オフセット補正手段」に相当する。また、コントロール回路３１及び励磁回路３２により、本発明の「励磁制御部」が構成され、サンプリング回路３３及び信号処理回路３４により本発明の「電圧検出手段」、「オフセット電圧検出手段」、「検知電圧取得手段」及び「信号処理部」が構成されている。
【００３５】
このように、本実施形態の電磁流量計１０は、定量ポンプ４０の吐出動作によって計測管２１内を液体が流れている流動期間Ｔ１１が、磁束の向き及び強度が一定な定常期間Ｔ１３に含まれるように定量ポンプ４０の動作に同期して動作するので、流動期間Ｔ１１中に１対の検知電極２３，２３間に発生した検知電圧Ｖ３を欠かすことなく信号処理回路３４に取得することができる。
【００３６】
しかも、液体が静止した休止期間中に磁束を交番させて、磁束の向きが一の方向でかつ強度が一定な第１のサンプリング期間Ｓ１と、磁束の向きが他の方向でかつ強度が一定な第２のサンプリング期間Ｓ２とでそれぞれ検知電圧Ｖ１，Ｖ２を取得し、それら各サンプリング期間Ｓ１，Ｓ２における検知電圧Ｖ１，Ｖ２の差分（＝Ｖ１−Ｖ２）を演算することでオフセット電圧Ｖｏをキャンセルし、流動期間Ｔ１１を含む第３のサンプリング期間Ｓ３で取得した検知電圧Ｖ３を補正しているから、オフセット電圧Ｖｏの影響を排除した流量を求めることができる。これらにより、定量ポンプ４０から間欠的に吐出される液体の流量を従来の電磁流量計よりも正確に計測することが可能になる。
【００３７】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００３８】
（１）上記実施形態では、定量ポンプ４０が吐出動作を行う毎に、磁束を所定周期で交番させていたが、定量ポンプ４０が起動後、１回目の吐出動作のときだけ磁束を交番させてオフセット電圧Ｖｏを検出しておき、以降は流動期間Ｔ１１と休止期間とに拘わらず、磁束を一定方向でかつ一定強度に保持するようにしてもよい。或いは、吐出動作が所定の複数回行われる毎に磁束を交番させてオフセット電圧Ｖｏを検出し、所定の複数回行われるまでの間は、磁束を一定方向でかつ一定強度に保持するようにしてもよい。
【００３９】
（２）上記実施形態では、計測管２１内の液体が流れる流動期間Ｔ１１が、第３のサンプリング期間Ｓ３に収まるように構成していたが、第１，第２或いは第４のサンプリング期間Ｓ１，Ｓ２，Ｓ４の何れかに収まるようにしてもよい。
【００４０】
（３）上記実施形態では１回の励磁期間Ｔ１２に中に磁束を３回交番させていたが、２回でもよいし、４回以上交番させてもよい。また、吐出動作が行われる前の液体が静止した休止期間中に磁束を３回以上交番させてもよい。
【００４１】
（４）励磁回路３２に計時手段（クロックカウンタ等）を備えておき、定量ポンプ４０が吐出動作に前もって出力するプリトリガ信号Ｒ１の出力タイミングからの経過時間を計時して、その計時結果に基づいて流動期間Ｔ１１と休止期間とを判別し、電磁コイル２２に流す励磁電流Ｉｅの制御（磁束の交番タイミング及び、磁束を一定方向及び一定強度に保持する期間の設定）を行うにしてもよい。
【００４２】
（５）サンプリング期間と流動期間Ｔ１１の長さは同じである必要はなく、サンプリング期間の長さが流動期間Ｔ１１の長さ以上であればよい。
【図面の簡単な説明】
【００４３】
【図１】本発明の一実施形態に係る電磁流量計と定量ポンプの概念図
【図２】定量ポンプ及び電磁流量計のブロック図
【図３】電磁流量計と定量ポンプの動作状態に関するタイミングチャート
【図４】電磁流量計と定量ポンプの動作状態に関するタイミングチャート
【図５】従来の電磁流量計の動作状態に関するタイミングチャート
【符号の説明】
【００４４】
１０    電磁流量計
２１    計測管
２２    電磁コイル
２３，２３    検知電極
３０    変換器（制御部）
３１    コントロール回路（励磁制御部）
３２    励磁回路（励磁制御部）
３３    サンプリング回路（電圧検出手段、オフセット電圧検出手段、検知電圧取得手段、信号処理部）
３４    信号処理回路（電圧検出手段、オフセット電圧検出手段、検知電圧取得手段、信号処理部、オフセット補正手段）
４０    定量ポンプ
Ｒ１    プリトリガ信号
Ｔ１１    流動期間
Ｔ１３    定常期間
Ｔ１４    過渡応答期間
Ｖ１〜Ｖ４    検知電圧
Ｖｏ    オフセット電圧
【図１】
2008304288.tif 000003
【図２】
2008304288.tif 000004
【図３】
2008304288.tif 000005
【図４】
2008304288.tif 000006
【図５】
2008304288.tif 000007